(57)【特許請求の範囲】
【請求項１】
マークが載置される搬送体と，
前記搬送体の表面に対して光を照射する発光部と，前記搬送体の表面からの反射光を受光する受光部とを備えるセンサと，
前記マークに対して前記発光部が光を照射し，その反射光から得られる前記受光部の受光量のデータであって，前記搬送体に劣化が生じていない状態で測定されたデータである参照データを記憶する記憶部と，
前記発光部が前記マーク以外の領域に光を照射し，前記受光部の受光量が目標値となる前記発光部の発光量を調整するように構成された調整部と，
前記調整部による調整後の発光量，あるいは調整前後の発光量の変化量が判定閾値よりも大きいことを条件として，前記マークに対して前記発光部が光を照射した際に前記受光部がその反射光から得られる受光量と，前記参照データとの差分が，閾値よりも大きいか否かを判断するように構成された判断部と，
前記判断部にて前記差分が前記閾値よりも大きいと判断された場合には，前記搬送体の劣化と判定し，前記判断部にて前記差分が前記閾値よりも大きいと判断されなかった場合には，前記センサの汚れと判定するように構成された判定部と，
を備えることを特徴とする画像形成装置。
【請求項２】
請求項１に記載する画像形成装置において，
前記マークを前記搬送体上に形成するように構成された形成部を備えることを特徴とする画像形成装置。
【請求項３】
請求項２に記載する画像形成装置において，
前記形成部が形成する前記マークは，位置ずれ補正用のマークと同じ形状のマークであって，当該位置ずれ補正用のマークよりもマーク数が少ないことを特徴とする画像形成装置。
【請求項４】
請求項２または請求項３に記載する画像形成装置において，
前記形成部が形成する前記マークは，位置ずれ補正用のマークと同じ形状のマークであって，当該位置ずれ補正用のマークよりも色数が少ないことを特徴とする画像形成装置。
【請求項５】
請求項２から請求項４までのいずれか１つに記載する画像形成装置において，
前記形成部が形成する前記マークには，黒色のマークが含まれることを特徴とする画像形成装置。
【請求項６】
請求項２に記載する画像形成装置において，
前記形成部が形成する前記マークは，位置ずれ補正用のマークであることを特徴とする画像形成装置。
【請求項７】
請求項２に記載する画像形成装置において，
前記形成部が形成する前記マークは，黒色以外の色の第１マークと，黒色の第２マークとを有し，
前記第２マークは，前記搬送体の搬送方向の幅が前記第１マークよりも短く，前記第１マークの前記搬送方向の上端から下端までの間に少なくとも１つ存在するものであることを特徴とする画像形成装置。
【請求項８】
請求項１から請求項７までのいずれか１つに記載する画像形成装置において，
前記受光部の受光量が閾値光量よりも小さいことを条件として，定期的にカウントされるカウント値に基づいて，マークを検出している期間であるマーク期間を取得する取得部を備え，
前記判断部は，前記取得部にて前記受光量から得られる前記マーク期間と，前記参照データから得られる前記マーク期間との差を，前記差分とすることを特徴とする画像形成装置。
【請求項９】
請求項１から請求項８までのいずれか１つに記載する画像形成装置において，
前記判定部が前記センサに汚れが生じたと判定したことを条件として，前記センサの汚れをユーザに報知するように構成された報知部を備えることを特徴とする画像形成装置。
【請求項１０】
請求項１から請求項９までのいずれか１つに記載する画像形成装置において，
前記画像形成装置内に，前記搬送体の幅方向成分を有する気流を発生させるように構成された気流発生部を備え，
前記センサは，前記搬送体の幅方向であって前記気流の上流側と，下流側とに少なくとも２つ配置され，
前記判断部は，前記下流側のセンサが備える受光部からの受光量と，前記参照データとの差分が，閾値よりも大きいか否かを判断することを特徴とする画像形成装置。
【請求項１１】
請求項１０に記載する画像形成装置において，
前記上流側のセンサの出力値は，前記マークの濃度測定に利用するものであることを特徴とする画像形成装置。
【請求項１２】
マークが載置される搬送体と，
前記搬送体の表面に対して光を照射する発光部と，前記搬送体の表面からの反射光を受光する受光部とを備えるセンサと，
前記マークに対して前記発光部が光を照射し，その反射光から得られる前記受光部の受光量のデータであって，前記搬送体に劣化が生じていない状態で測定されたデータである参照データを記憶した記憶部と，
前記発光部が前記マーク以外の領域に光を照射し，前記受光部の受光量が目標値となる前記発光部の発光量を調整するように構成された調整部と，
前記調整部による調整後の発光量，あるいは調整前後の発光量の変化量が判定閾値よりも大きいことを条件として，前記マークに対して前記発光部が光を照射した際に前記受光部がその反射光から得られる受光量と，前記参照データとの差分が，閾値よりも大きいか否かを判断するように構成された判断部と，
前記判断部にて前記差分が前記閾値よりも大きいと判断された場合には，前記搬送体の劣化と判定し，前記判断部にて前記差分が前記閾値よりも大きいと判断されなかった場合には，前記センサの汚れと判定するように構成された判定部と，
を備えることを特徴とする搬送装置。
【発明の詳細な説明】
【技術分野】
【０００１】
本発明は，シートに画像を形成する画像形成装置および搬送装置に関する。さらに詳細には，ベルト上に形成されたマークをセンサで検知する画像形成装置および搬送装置に関するものである。
【背景技術】
【０００２】
従来から，シートあるいは画像を搬送するベルトを備える画像形成装置では，そのベルトに形成されたマークをセンサで読み取り，そのセンサの出力値に基づいて，位置ずれ補正や搬送速度調整等の各種の補正処理を行っている。
【０００３】
ベルト上のマークをセンサで読み取る技術としては，例えば特許文献１に開示された技術がある。特許文献１では，濃度検査用のパッチ（マーク）を中間転写ドラム上に形成し，そのパッチを濃度センサで読み取った出力値に基づいて現像バイアスを補正する画像形成装置が開示されている。また，特許文献１には，中間転写ドラムの表面からの反射光をセンサが受光し，センサの受光量が閾値以下であれば，センサのレンズ表面が汚れていると判断してユーザに清掃を促す技術が開示されている。
【先行技術文献】
【特許文献】
【０００４】
【特許文献１】特開平１１−２０２６９６号公報
【発明の概要】
【発明が解決しようとする課題】
【０００５】
しかしながら，前記した従来の技術には，次のような問題があった。すなわち，センサの受光量の低下は，センサのレンズ表面の汚れの他，ベルト表面が劣化した場合も生じる。そのため，特許文献１のようにセンサの受光量の大小に基づいて，センサのレンズ表面の汚れを報知し，センサのレンズ表面を清掃したとしても，ベルト表面の劣化が原因であった場合には，改善が期待できない。
【０００６】
本発明は，前記した従来の技術が有する問題点を解決するためになされたものである。すなわちその課題とするところは，ベルト表面の劣化とセンサのレンズ表面の汚れとを区別する技術を提供することにある。
【課題を解決するための手段】
【０００７】
この課題の解決を目的としてなされた画像形成装置は，マークが載置される搬送体と，前記搬送体の表面に対して光を照射する発光部と，前記搬送体の表面からの反射光を受光する受光部とを備えるセンサと，前記マークに対して前記発光部が光を照射し，その反射光から得られる前記受光部の受光量のデータであって，前記搬送体に劣化が生じていない状態で測定されたデータである参照データを記憶する記憶部と，前記発光部が前記マーク以外の領域に光を照射し，前記受光部の受光量が目標値となる前記発光部の発光量を調整するように構成された調整部と，前記調整部による調整後の発光量，あるいは調整前後の発光量の変化量が判定閾値よりも大きいことを条件として，前記マークに対して前記発光部が光を照射した際に前記受光部がその反射光から得られる受光量と，前記参照データとの差分が，閾値よりも大きいか否かを判断するように構成された判断部と，前記判断部にて前記差分が前記閾値よりも大きいと判断された場合には，前記搬送体の劣化と判定し，前記判断部にて前記差分が前記閾値よりも大きいと判断されなかった場合には，前記センサの汚れと判定するように構成された判定部とを備えることを特徴としている。
【０００８】
本明細書に開示される画像形成装置は，光量調整後の受光量と参照データとを比較するものである。搬送体に劣化が生じると反射率が低下するため，光量調整後の受光量が参照データにおける受光量より小さくなる。一方，センサのレンズの汚れの場合には反射率に変動はないことから，光量調整後の受光量と参照データとは差が小さい。このことから，光量調整後にセンサの汚れが疑われる際，あらかじめ記憶しておいた参照データ（搬送体の劣化が生じていないと推定されるときに取得したデータ）と，現在の受光部から得られる受光量との差が小さければセンサの汚れと判定でき，大きければ搬送体の劣化と判定できる。
【０００９】
なお，搬送体としては，例えば，搬送ベルト，中間転写ベルト（ドラム）が該当する。また，マークは，例えば，プロセス部によって形成された画像パターン（例えばレジストパターン）であってもよいし，あらかじめ搬送体に形成されたマーク（例えば速度検知用のマーク）であってもよい。また，参照データは，工場出荷前に記憶されるデータであってもよいし，以前に読み取ったデータであって搬送体の劣化と判断されなかったデータであってもよい。受光量の「差分」としては，例えば，受光量波形の幅差であってもよいし，受光量波形のピーク値の差であってもよい。あるいは，波形そのものを比較してもよい。
【００１０】
また，本明細書に開示される画像形成装置は，前記マークを前記搬送体上に形成するように構成された形成部を備えるとよい。はじめから存在するマークを検知対象とする場合，そのマーク自体が劣化し，検査精度を低下させる可能性がある。そのため，新たに形成されたマークをセンサが読み取ることで，マーク自体の劣化の影響を小さくすることが期待できる。
【００１１】
また，前記形成部が形成する前記マークは，位置ずれ補正用のマークと同じ形状のマークであって，当該位置ずれ補正用のマークよりもマーク数が少ないとよい。マーク数を少なくすることで，新たなマークの形成に伴う着色剤の消費を抑えることができる。
【００１２】
また，前記形成部が形成する前記マークは，位置ずれ補正用のマークと同じ形状のマークであって，当該位置ずれ補正用のマークよりも色数が少ないとよい。色数を少なくすることで，動作させる形成部の数を抑えることができる。
【００１３】
また，前記形成部が形成する前記マークには，黒色のマークが含まれるとよい。黒色は拡散光が少なく検出精度が高いため，高精度の判定が期待できる。
【００１４】
また，前記形成部が形成する前記マークは，位置ずれ補正用のマークであるとよい。位置ずれ補正用のマークを，センサの汚れ判定のマークと兼ねることで，マークの形成に伴う時間の短縮および着色剤の消費抑制を図ることができる。
【００１５】
また，前記形成部が形成する前記マークは，黒色以外の色の第１マークと，黒色の第２マークとを有し，前記第２マークは，前記搬送体の搬送方向の幅が前記第１マークよりも短く，前記第１マークの前記搬送方向の上端から下端までの間に少なくとも１つ存在するとよい。第１マークと第２マークとは色が異なることから，搬送体の劣化の度合いが進行すると，検知対象となるマークが第１マークから第２マークに変化する。そして，第１マークと第２マークとでは形状が異なることから，受光量の波形が大きく変化する。そのため，搬送体の劣化を検知し易くなる。
【００１６】
また，本明細書に開示される画像形成装置は，前記受光部の受光量が閾値光量よりも小さいことを条件として，定期的にカウントされるカウント値に基づいて，マークを検出している期間であるマーク期間を取得する取得部を備え，前記判断部は，前記取得部にて前記受光量から得られる前記マーク期間と，前記参照データから得られる前記マーク期間との差を，前記差分とするとよい。搬送体に劣化が生じると受光量が低下するため，受光量が閾値光量よりも小さいことを条件として，定期的にカウントされるカウント値が小さくなる。そのため，変化量として，カウント値に基づいて取得されるマーク期間の差が好適である。
【００１７】
また，前記判定部が前記センサに汚れが生じたと判定したことを条件として，前記センサの汚れをユーザに報知するように構成された報知部を備えるとよい。センサの汚れは，清掃によってある程度除去することが可能である。そこで，センサの汚れをユーザに報知することで，ユーザによるセンサの清掃が期待できる。なお，センサのレンズを清掃する清掃部材を備える場合には，その清掃部材の使用方法を報知するとよい。また，装置自体が清掃部材を制御可能であれば，清掃部材による清掃指示の入力を促してもよい。
【００１８】
また，本明細書に開示される画像形成装置は，前記画像形成装置内に，前記搬送体の幅方向成分を有する気流を発生させるように構成された気流発生部を備え，前記センサは，前記搬送体の幅方向であって前記気流の上流側と，下流側とに少なくとも２つ配置され，前記判断部は，前記下流側のセンサが備える受光部からの受光量と，前記参照データとの差分が，閾値よりも大きいか否かを判断するとよい。気流の方向について下流側のセンサの方が上流側のセンサと比較して汚れやすい。そのため，下流側のセンサの出力値に基づいて汚れを判断する方が，センサの汚れを判断する上で好ましい。なお，気流発生部としては，例えば，定着熱を装置外に排出するファンが該当する。
【００１９】
また，前記上流側のセンサの出力値は，前記マークの濃度測定に利用するとよい。濃度測定では，センサの汚れが精度に影響を及ぼす。そのため，汚れのリスクが下流側よりも少ない上流側に配置した方が好ましい。
【００２０】
さらに，本明細書には，マークが載置される搬送体と，前記搬送体の表面に対して光を照射する発光部と，前記搬送体の表面からの反射光を受光する受光部とを備えるセンサと，前記マークに対して前記発光部が光を照射し，その反射光から得られる前記受光部の受光量のデータであって，前記搬送体に劣化が生じていない状態で測定されたデータである参照データを記憶した記憶部と，前記発光部が前記マーク以外の領域に光を照射し，前記受光部の受光量が目標値となる前記発光部の発光量を調整するように構成された調整部と，前記調整部による調整後の発光量，あるいは調整前後の発光量の変化量が判定閾値よりも大きいことを条件として，前記マークに対して前記発光部が光を照射した際に前記受光部がその反射光から得られる受光量と，前記参照データとの差分が，閾値よりも大きいか否かを判断するように構成された判断部と，前記判断部にて前記差分が前記閾値よりも大きいと判断された場合には，前記搬送体の劣化と判定し，前記判断部にて前記差分が前記閾値よりも大きいと判断されなかった場合には，前記センサの汚れと判定するように構成された判定部とを備えることを特徴とする搬送装置が開示されている。
【発明の効果】
【００２１】
本発明によれば，ベルト表面の劣化とセンサのレンズ表面の汚れとを区別することのできる画像形成装置および搬送装置が実現される。
【図面の簡単な説明】
【００２２】
【図１】ＭＦＰの電気的構成を示すブロック図である。
【図２】図１に示したＭＦＰの画像形成部の概略構成を示す図である。
【図３】マークセンサの配置を示す説明図である。
【図４】良好な状態におけるマークセンサの受光量を示す図である。
【図５】センサ汚れ状態におけるマークセンサの受光量を示す図である。
【図６】ベルト劣化状態におけるマークセンサの受光量を示す図である。
【図７】ベルト劣化状態における光量調整後のマークセンサの受光量を示す図である。
【図８】位置ずれ補正処理と検知状態判定処理の手順を示すフローチャート図である。
【図９】検知状態判定処理を示すフローチャート図である。
【図１０】マークの別の例を示す説明図である。
【図１１】図１０に示したマークを検知した場合のマークセンサの受光量を示す図である。
【発明を実施するための形態】
【００２３】
以下，本発明にかかる画像形成装置を具体化した実施の形態について，添付図面を参照しつつ詳細に説明する。本形態は，カラー印刷機能を有する複合機（ＭＦＰ：Ｍｕｌｔｉ  Ｆｕｎｃｔｉｏｎ  Ｐｅｒｉｐｈｅｒａｌ）に本発明を適用したものである。
【００２４】
［ＭＦＰの構成］
実施の形態にかかるＭＦＰ１００は，図１に示すように，ＣＰＵ３１と，ＲＯＭ３２と，ＲＡＭ３３と，ＮＶＲＡＭ（Ｎｏｎ  Ｖｏｌａｔｉｌｅ  ＲＡＭ：不揮発性ＲＡＭ）３４と，ＡＳＩＣ３５と，ネットワークインターフェース３６と，ＦＡＸインターフェース３７とを備えた制御部３０を備えている。また，制御部３０は，用紙に画像を形成する画像形成部１０，原稿の画像を読み取る画像読取部２０，動作状況の表示やユーザによる入力操作の受付を行う操作パネル４０と電気的に接続されている。
【００２５】
ＣＰＵ３１は，ＭＦＰ１００における画像読取機能，画像形成機能，ＦＡＸデータ送受信機能，画調整機能，さらには後述するセンサ汚れ判定機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ３４は，不揮発性を有する記憶手段であって，各種設定ないし画像データ等を保存する記憶領域として利用される。
【００２６】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素（例えば，画像形成部１０を構成する露光装置の点灯タイミング，用紙の搬送路を構成する各種ローラの駆動モータ，画像読取部２０を構成するイメージセンサユニットの移動用モータ）を，ＡＳＩＣ３５を介して制御する。
【００２７】
ネットワークインターフェース３６は，ネットワークに接続され，ＭＦＰ１００と他の情報処理装置との接続を可能にしている。ＦＡＸインターフェース３７は，電話回線に接続され，相手先のＦＡＸ装置との接続を可能にしている。そして，ＭＦＰ１００は，ネットワークインターフェース３６やＦＡＸインターフェース３７を介して外部装置とデータ通信を行うことができる。
【００２８】
［ＭＦＰの画像形成部の構成］
続いて，ＭＦＰ１００の画像形成部１０の構成について，図２を参照しつつ説明する。画像形成部１０は，電子写真方式によってトナー像を形成し，そのトナー像を用紙に転写するプロセス部５０と，用紙上の未定着のトナーを定着させる定着装置８と，画像転写前の用紙を載置する給紙トレイ９１と，画像転写後の用紙を載置する排紙トレイ９２とを備えている。画像形成部１０の上方には，画像読取部２０が配置されている。
【００２９】
プロセス部５０は，カラー画像の形成が可能なものであり，イエロー（Ｙ），マゼンタ（Ｍ），シアン（Ｃ），ブラック（Ｋ）の各色に対応するプロセス部を並列に配置している。具体的には，Ｙ色の画像を形成するプロセス部５０Ｙと，Ｍ色の画像を形成するプロセス部５０Ｍと，Ｃ色の画像を形成するプロセス部５０Ｃと，Ｋ色の画像を形成するプロセス部５０Ｋとを備えている。
【００３０】
また，画像形成部１０は，各プロセス部５０Ｙ，５０Ｍ，５０Ｃ，５０Ｋに光を照射する露光装置５３と，各プロセス部５０Ｙ，５０Ｍ，５０Ｃ，５０Ｋの転写位置に用紙を搬送する搬送ベルト７と，搬送ベルト７上に形成されたマークを検出するマークセンサ６１とを備えている。
【００３１】
また，画像形成部１０内には，底部に位置する給紙トレイ９１に収容された用紙が，給紙ローラ７１，レジストローラ７２，プロセス部５０，定着装置８を通り，排紙ローラ７６を介して上部の排紙トレイ９２への導かれるように，略Ｓ字形状の搬送路１１（図２中の一点鎖線）が設けられている。そして，各プロセス部５０Ｙ，５０Ｍ，５０Ｃ，５０Ｋは，用紙の搬送路１１に沿って，互いに一定の間隔をおいて配置されている。
【００３２】
画像形成時には，プロセス部５０において，感光体の表面が帯電装置によって一様に帯電される。その後，感光体は露光装置５３からの光により露光され，用紙に形成すべき画像の静電潜像が感光体の表面に形成される。次いで，現像装置を介して，トナーが感光体に供給される。これにより，感光体上の静電潜像は，トナー像として可視像化される。なお，図２中においては，各感光体に「Ｙ」，「Ｍ」，「Ｃ」，「Ｋ」の文字を配置して示している。
【００３３】
搬送ベルト７は，搬送ローラ７３，７４によって張架された無端状のベルト部材であり，ポリカーボネート等の樹脂材からなる。搬送ベルト７は，搬送ローラ７４が回転駆動されることにより紙面で反時計回りに循環移動する。これにより，搬送ベルト７は，その上面に載置された用紙を，レジストローラ７２側から定着装置８側に搬送する。
【００３４】
画像形成部１０は，画像形成時には，給紙トレイ９１に載置されている用紙を１枚ずつ取り出し，その用紙を搬送ベルト７によって搬送する。そして，プロセス部５０にて感光体上に形成されたトナー像をその用紙に転写する。このとき，カラー印刷では，各プロセス部５０Ｙ，５０Ｍ，５０Ｃ，５０Ｋにてそれぞれトナー像が形成され，用紙上で各トナー像が重ね合わせられる。一方，モノクロ印刷では，プロセス部５０Ｋのみでトナー像が形成され，用紙に転写される。その後は，トナー像が転写された用紙を定着装置８に搬送し，トナー像をその用紙に熱定着させる。そして，定着後の用紙を排紙トレイ９２に排出する。
【００３５】
また，マークセンサ６１は，用紙の搬送方向におけるプロセス部５０Ｙ，５０Ｍ，５０Ｃ，５０Ｋよりも下流であって定着装置８よりも上流に位置し，搬送ベルト７上に形成されたマークを検知する。形成されたマークは，搬送ベルト７の移動に伴って，ベルトの走行方向（副走査方向に相当する）に搬送される。つまり，搬送ベルト７は，マークが載置される搬送体に相当し，その載置されたマークを搬送する。
【００３６】
具体的に，マークセンサ６１は，図３に示すように，搬送ベルト７の搬送方向（図中の黒矢印の方向）に対して直交する方向（搬送ベルト７の幅方向）の両側に配置される。すなわち，マークセンサ６１は，幅方向の右側に配置されたセンサ６１Ｒと，左側に配置されたセンサ６１Ｌとの，２つのセンサによって構成される。各センサ６１Ｒ，６１Ｌは，発光部６２（例えば，ＬＥＤ）と，受光部６３（例えば，フォトトランジスタ）とが一対となる反射型の光学センサである。発光部６２は，搬送ベルト７の表面の検知領域（図３中の点線枠Ｅ）に対して，斜め方向から光を照射する。受光部６３は，発光部６２が発光した光のうち，搬送ベルト７の表面によって反射された反射光を受光する。そして，マークセンサ６１は，マーク６６（図３中のマーク６６は位置ずれ補正用のマークの一例）が通過する際の受光量と，搬送ベルト７から直接受ける受光量との違いによって，マークを検知する。
【００３７】
なお，図３に示したマーク６６は，各プロセス部５０Ｙ，５０Ｍ，５０Ｃ，５０Ｋによってそれぞれ形成されるマーク６６Ｙ，６６Ｍ，６６Ｃ，６６Ｋを含む例である。この例では，各マーク６６Ｙ，６６Ｍ，６６Ｃ，６６Ｋは，略矩形の棒状をなし，搬送ベルト７の幅方向（主走査方向）の両端部に形成されている。また，この例の各マーク６６Ｙ，６６Ｍ，６６Ｃ，６６Ｋは，副走査方向についてはほぼ等間隔に並んで，複数個配置されている。この図の例では，各マーク６６Ｙ，６６Ｍ，６６Ｃ，６６Ｋは，主走査方向と副走査方向とに対して斜めに配置されている。
【００３８】
なお，画像形成部１０は，さらに，図３に示すように，搬送ベルト７と定着装置８との間に気流を発生させるファン８１を備えている。ファン８１によって発生される気流は，搬送ベルト７の幅方向成分を有する。この図で示した気流は，図中に白抜きの矢印で示すように，搬送ローラ７４の軸方向に沿って，右手前側から左奥側へ向かって流れている。この気流によって，定着装置８によって発生する熱が機外へ放出される。
【００３９】
［マーク検出］
続いて，ＭＦＰ１００におけるマーク検出処理について説明する。ＭＦＰ１００は，例えば，各色の画像の位置調整を行う位置ずれ補正，各色の濃度調整を行う濃度補正等を行う際に，図３に示したようなマーク６６を形成し，マークセンサ６１によって検出する。形成するマーク６６の形状や配置，色等は，補正の種別によって異なる。形成されたマーク６６は，図３に黒矢印で示すように，搬送ベルト７に載って移動し，マークセンサ６１の検知領域Ｅを通過する。
【００４０】
まず，搬送ベルト７やマークセンサ６１等が良好な状態である場合について説明する。この場合の受光量の波形を，図４（ａ）に示す。このグラフは，マークセンサ６１による受光量のアナログデータである。このグラフにおいて，両側の受光量の高い平坦な範囲は，搬送ベルト７の表面のうちマーク６６の形成されていない箇所，すなわち搬送ベルト７そのものを検出している期間である。
【００４１】
搬送ベルト７は，反射率の高い材質によって形成されている。そのため，搬送ベルト７が劣化していない良好な状態であれば，発光部６２が発光した光は，その多くの部分が搬送ベルト７によって反射される。従って，搬送ベルト７そのものを検出している期間における受光部６３が受光する受光量は，高い値である。
【００４２】
一方，マーク６６を構成するトナーの反射率は一般に，搬送ベルト７の反射率より低い。そのため，検知領域Ｅがマーク６６上にある範囲では，マークセンサ６１が検出する受光量は，搬送ベルト７に対向している場合に比較して小さい。検知領域Ｅがマーク６６上にある範囲が，図４（ａ）中の中央部分に示した，受光量が低下している範囲である。すなわち，この図に示したのは，マークセンサ６１の検知領域Ｅを，１つのマークが通過したときの受光量の波形である。
【００４３】
そして，ＭＦＰ１００は，マークセンサ６１の受光量のアナログデータをデジタル化して使用する。そのためにまず，コンパレータ等を用いて，受光量が，あらかじめ決めた閾値光量Ｑより小さい期間をＣＰＵ３１が抽出する。その結果，図４（ｂ）のグラフが得られる。つまり，図４（ｂ）のグラフは，受光量が閾値光量Ｑ以下でオンし，それ以外でオフとなるコンパレータ出力である。図４（ｂ）では，期間Ｚにおいて，コンパレータ出力がオンとなっている。
【００４４】
さらに，本形態のＭＦＰ１００は，ＡＳＩＣカウンタを有している。ＡＳＩＣカウンタは，図４（ｃ）のグラフに例示するように，ＡＳＩＣ３５によって，定期的にカウントされるカウント値である。そこで，このＡＳＩＣカウンタのカウント値に基づいて，前述のコンパレータ出力がオンとなっている期間を取得する。すなわち，コンパレータ出力がオンである期間中にカウントされたＡＳＩＣカウンタのカウント値Ｘが，マークセンサ６１がマークを検出している期間に相当する。図４の例では，コンパレータ出力がオンとなっている期間Ｚに対応して，カウント値Ｘが得られる。ＣＰＵ３１は，このカウント値Ｘに基づいて期間Ｚ（以下，「マーク期間」とする）を取得する処理を実行する際に，取得部として機能する。
【００４５】
なお，マークセンサ６１の受光量は，マークセンサ６１のばらつきや機内の環境条件等によってある程度のばらつきが生じる。このばらつきがマーク期間に影響を与えることは好ましくない。そのため本形態では，マーク６６の形成されていない領域における搬送ベルト７の反射による受光量が，あらかじめ決めた一定の範囲内の目標値となるように，マークセンサ６１の発光部６２の発光量をＣＰＵ３１が調整する。
【００４６】
具体的に，ＣＰＵ３１は，発光量を調整する調整処理として，マークセンサ６１の発光部６２に，搬送ベルト７のうちマークの形成されていない領域に対して光を照射させる。そして，その反射光を受光部６３に受光させる。このときの受光量としてマークセンサ６１が出力した信号と目標値とを比較し，受光量が目標値より小さい場合は，発光部６２の発光量をＣＰＵ３１が増加させる。受光量が目標値より大きい場合は，発光部６２の発光量をＣＰＵ３１が減少させる。この処理を行うときに，ＣＰＵ３１は，調整部として機能する。なお，この発光量の調整処理は，マーク検出処理に先行して毎回行ってもよいし，電源投入時等の適切なタイミングで，マーク検出処理とは独立に行うようにしてもよい。
【００４７】
そして，本形態のＭＦＰ１００は，マークセンサ６１も搬送ベルト７も良好な状態における，マーク６６を検出した期間を含む受光量のデータを，参照データとしてあらかじめＮＶＲＡＭ３４に記憶している。特に，発光量の調整処理を行った後にＣＰＵ３１が取得した受光量のデータであることが好ましい。あるいは，工場出荷前または初回起動時等にデータをＣＰＵ３１が取得して参照データとしてもよい。また，印刷枚数または印刷時間等があらかじめ決めた値に到達したときや，ユーザによってセンサの清掃が行われたとＣＰＵ３１が判断したとき等に，改めて参照データを取得して記憶を更新するようにしてもよい。なお，参照データとしては，受光量のアナログデータそのものでもよいし，閾値光量Ｑよりも低い光量である期間に相当するカウント値のデータとしてもよい。
【００４８】
次に，マークセンサ６１の検知状態が良好ではない場合について説明する。マークセンサ６１の検知状態が良好ではない原因として，例えば，マークセンサ６１の受光面の汚れ，または，搬送ベルト７の劣化がある。本形態のＭＦＰ１００は，不良の原因がこれらのいずれであるかを判定する判定部を有している。
【００４９】
センサ汚れとは，マークセンサ６１の受光面に紙粉やトナー微粒子等が付着することにより汚れたものをいう。この場合の受光量の波形は，図５中に実線で示すようなものとなる。なお，図５中に破線で示したのは，図４に示した良好な状態における受光量の波形である。つまりこの場合には，搬送ベルト７またはマーク６６による反射率は前述の良好な状態と同じであるけれども，受光面の汚れによって光が遮られ，受光量が全体的に低下している。そのため，受光量の波形は，良好な状態の場合と同様の形状で，全体的に低下したものとなる。
【００５０】
一方，搬送ベルト７の劣化とは，ベルト表面に細かな傷がついたり微小なゴミ等が付着したりすることによって搬送ベルト７の表面の反射率が低下することをいう。この場合の受光量の波形は，図６に実線で示すようなものとなる。図６中に破線で示したのも，図４に示した良好な状態における受光量の波形である。つまりこの場合には，搬送ベルト７による反射率は良好な状態よりも低下するけれども，マーク６６による反射率は良好な状態の場合と変化はない。そのため，受光量の波形は，良好な状態の場合から，搬送ベルト７の表面の領域に対応する反射光量の部分のみが低下したものとなる。
【００５１】
本形態のＭＦＰ１００は，前述の発光量の調整処理をあらかじめ行う。そのため，図５や図６に示した受光量が得られるはずの状況においても，これらのグラフで両側の平坦となっている部分が，図４のグラフの平坦な箇所の位置まで持ち上げられることになる。つまり，図５のセンサ汚れの場合の受光量のグラフは，図４の良好な場合のグラフとほぼ同じ形状となる。一方，図６の搬送ベルト７の劣化の場合の受光量のグラフは，図７に示すように，マーク６６に相当する部分の光量が，良好な状態の場合に比較して大きいものとなる。
【００５２】
本形態のＣＰＵ３１は，まず，搬送ベルト７の反射による受光量が，図５や図６に示したように，基準の光量（図中に破線で示しているもの）に比較して大きく下がっていた場合，マークセンサ６１の検知状態に何らかの不良（以下，検知不良という）が発生していると判断する。例えば，調整処理による調整後のマークセンサ６１の発光量があらかじめ決めた第１の閾値より大きい場合や，調整処理の前後における発光量の変化量があらかじめ決めた第２の閾値より大きい場合には，マークセンサ６１の検知状態が良好とはいえない。この第１の閾値と第２の閾値とがそれぞれ，判定閾値に相当する。第１の閾値と第２の閾値とは，同じ値であってもよいし，異なる値であってもよい。
【００５３】
このようにしてＣＰＵ３１は，発光量の調整処理を行った上で，マークセンサ６１の検知状態が良好でないと判断した場合には，調整後の受光量のデータを，あらかじめ記憶している参照データと比較する。検知不良ではあっても，調整後の受光量のデータが参照データとほぼ同じであった場合には，ＣＰＵ３１はセンサ汚れであると判定する。この場合は，図５に示した例に相当し，受光量のアナログデータの波形自体は，参照データのものと大きく異なってはいないからである。
【００５４】
一方，検知不良であり，マーク６６による反射から得られた受光量の調整後のデータが，参照データより大きければ，検知不良の原因は搬送ベルト７の劣化である。つまり，ＣＰＵ３１は，調整後の受光量のデータと参照データとの差が大きい場合には，搬送ベルト７の劣化であると判定する。この場合は，図６に示した例に相当し，受光量のアナログデータの波形自体が，参照データのものと大きく異なるからである。
【００５５】
そこで，本形態のＣＰＵ３１は，調整後の受光量のデータと参照データとの差分に基づいて，センサ汚れと搬送ベルト７の劣化とのいずれであるかを判定する。つまり，ＣＰＵ３１は，この差分をあらかじめ決めた第３の閾値と比較し，差分が第３の閾値よりも大きいか否かを判断する。この処理を行うときに，ＣＰＵ３１は，判断部として機能する。
【００５６】
この判断のためにＣＰＵ３１は，参照データを取得したときに用いたものと同じマーク６６を画像形成部１０に形成させ，マーク期間を取得する。あるいは，少なくとも副走査方向に同じ大きさのマークであればよい。具体的には，参照データの場合と同様に，調整後の受光量のデータがあらかじめ決めた閾値光量Ｑよりも小さいことを条件として，ＡＳＩＣカウンタのカウント値をＣＰＵ３１が取得する。さらに，そのカウント値に対応するマーク期間をＣＰＵ３１が取得する。その結果得られるマーク期間の値は，センサ汚れの場合には，参照データのマーク期間Ｚとほぼ等しい。一方，搬送ベルト７の劣化の場合には，参照データより小さいマーク期間Ｚｂ（図７（ｂ）参照）が得られる。そして，ＣＰＵ３１は，調整後の受光量のデータから得られたマーク期間と，参照データのマーク期間Ｚとの差分を求める。
【００５７】
そして，差分が第３の閾値よりも小さいと判断された場合には，図５に示したように，受光量の波形自体は，良好な状態のものとほぼ同じであることがわかる。つまり，センサ汚れが発生しているとＣＰＵ３１が判定する。一方，差分が第３の閾値よりも小さいと判断されなかった場合には，図６に示したように，受光量の波形自体が，良好な状態のものとは異なることがわかる。つまり，搬送ベルト７の劣化が発生しているとＣＰＵ３１が判定する。この判定を行うときに，ＣＰＵ３１は，判定部として機能する。
【００５８】
なお，本形態のＭＦＰ１００は，センサ汚れが発生していると判定された場合には，ユーザに報知する。例えば，操作パネル４０に，マークセンサ６１の清掃を促す旨の表示を行うとよい。このとき，操作パネル４０は，報知部として機能する。なお，ＭＦＰ１００は，搬送ベルト７の劣化と判定された場合は報知しない。
【００５９】
［位置ずれ補正処理と検知状態判定処理］
次に，本形態のＣＰＵ３１において実行される，前述したマークセンサ６１の検知状態を判定する処理の手順を，図８と図９のフローチャートを利用して説明する。位置ずれ補正処理は，カラー画像を形成する際に，色ごとの位置ずれを抑制するために行われる処理である。ＭＦＰ１００は，位置ずれ補正処理として，色ごとのマークの位置を検出し，それらの基準位置からのずれ量を算出している。位置ずれ補正処理は，印刷枚数があらかじめ決めた枚数を超えたとき，前回実施後の経過時間，温度変化等を受けて実行開始される。図３に示したマーク６６は，位置ずれ補正処理のために形成されるものの一例である。
【００６０】
また，検知状態判定処理は，マークセンサ６１の検知状態が良好ではない場合に，その原因が，センサ汚れの発生によるものであるか，搬送ベルト７の劣化によるものであるかを判定する処理である。そして，ＭＦＰ１００は，この検知状態判定処理を，位置ずれ補正処理の中で実行する。
【００６１】
位置ずれ補正処理が実行されると，各色のマーク６６が形成された位置をマークセンサ６１で検出する。そのため，マークを読み取る処理の前に，図８に示すように，マークセンサ６１の光量調整を行う（Ｓ１０１，調整部の一例）。すなわち，マークやトナー像の形成されていない箇所の搬送ベルト７をマークセンサ６１によって検出する。このとき，発光部６２に，あらかじめ決めた光量（例えば，光量の初期値または前回調整後の光量）の光を発光させ，その反射光を受光部６３に受光させる。そして，受光部６３の受光量があらかじめ決めた目標値の範囲内となるように，発光部６２の発光量を調整する。
【００６２】
Ｓ１０１の後，ＣＰＵ３１は，画像形成部１０に，位置ずれ補正処理を行うためのマーク６６を搬送ベルト７上に形成させる（Ｓ１０４）。そして，マークセンサ６１によって，マーク６６を検出する（Ｓ１０５）。このときの発光部６２の発光量は，Ｓ１０１において調整した後の光量である。さらに，マーク６６の検出タイミングに基づき，位置ずれ量を算出する（Ｓ１０６）。なお，この後の工程において行う検知状態判定処理においても，Ｓ１０４で形成し，Ｓ１０５で検出したマーク６６の検出結果を利用する。
【００６３】
次に，検知状態判定処理を行う必要があるか否かを判断する。つまり，良好に検知されているのであれば，判定処理を行う必要はない。そこで，ＣＰＵ３１は，今回の光量調整における発光量の調整量を，あらかじめ決めた基準調整量と比較し，調整量が大きいか否かを判断する（Ｓ１１０）。受光部６３による受光量が今回の調整前からあらかじめ決めた目標値の範囲内であれば，今回は判定の必要ない。あるいは，受光量自体は目標値の範囲内ではなくても，その差はわずかであれば，発光量の調整幅は小さい（Ｓ１１０：Ｎｏ）。これらの場合は，マークセンサ６１も搬送ベルト７も良好な状態であると判定する（Ｓ１１３）。この場合は，検知状態判定処理を実行しない。そして，Ｓ１１３の後，位置ずれ補正処理を終了する。
【００６４】
なお，参照データとして今回取得された受光量のデータを保存しておく場合は，Ｓ１１３の直前か直後に行うとよい。つまり，Ｓ１０５にて取得されたデータは，調整量が小さく（Ｓ１１０：Ｎｏ），良好な状態における受光量のデータであるので，これを参照データとしてＮＶＲＡＭ３４に記憶してもよい。
【００６５】
一方，調整量が大きい場合は（Ｓ１１０：Ｙｅｓ），ＣＰＵ３１は，不具合が生じたと判断し，検知状態判定処理（Ｓ１１２）を実行して，その原因を判定する。なお，Ｓ１１０において調整量が大きいと判断される場合としては，今回の調整幅が基準調整量より大きい場合だけでなく，初期値からの調整量の累積があらかじめ決めた限界値を超えた場合をも含むものとしてもよい。
【００６６】
続いて，図９を参照して，検知状態判定処理を説明する。まず，ＣＰＵ３１は，ＮＶＲＡＭ３４に記憶されている参照データを読み出す（Ｓ２０１）。そして，Ｓ１０５で検出したマーク６６の受光量のデータを，Ｓ２０１で読み出した参照データと比較し，両データの差分を求める（Ｓ２０２）。差分としては，例えば，受光量が閾値光量Ｑより小さい値であった期間に相当するマーク期間Ｚまたは，マーク期間Ｚに相当するカウント値Ｘによる比較をすればよい。あるいは，光量波形そのものを比較することとしてもよい。
【００６７】
その後，Ｓ２０２で求めた差分があらかじめ決めた閾値より小さいか否かを判断する（Ｓ２０５，判断部の一例）。差分が大きい場合は（Ｓ２０５：Ｎｏ），ＣＰＵ３１は，搬送ベルト７の劣化であると判定する（Ｓ２１０）。一方，差分が小さい場合には（Ｓ２０５：Ｙｅｓ），ＣＰＵ３１は，センサ汚れであると判定する（Ｓ２０７，判定部の一例）。この場合には，センサの清掃を促すためのメッセージを操作パネル４０に表示することにより，ユーザに報知する（Ｓ２０８，報知部の一例）。Ｓ２０８あるいはＳ２１０の後は，検知状態判定処理を終了する。
【００６８】
なお，ここでは，ＭＦＰ１００が位置ずれ補正処理を行うときに，検知状態判定処理を連続して行うようにしたが，検知状態判定処理のみを独立して行うようにすることもできる。検知状態判定処理のみを行う場合の実行条件は，位置ずれ補正処理の条件と同様に，印刷枚数，前回実施後の経過時間，温度変化等とすればよい。この場合には，図８に示した光量調整（Ｓ１０１）からマーク検出（Ｓ１０５）までを実行した後，位置ずれ量の算出（Ｓ１０６）を行わずにＳ１１０に進めばよい。
【００６９】
なお，検知状態判定処理のみを独立して行う場合には，多数のマークを形成させる必要はない。つまり，位置ずれ量の算出を行うことなく，本処理のためだけに形成するマークは，位置ずれ補正処理用のマークと同じ形状で，マーク数の少ないものとすることができる。マーク数を１としてもよい。あるいは，位置ずれ補正処理用のマークと同じ形状で，色数の少ないものとしてもよい。マークセンサ６１は，色に関わりなく共通に設けられており，上述の検知状態判定処理はどの色のマークであっても可能であることから，１色のみのマークであってもかまわない。
【００７０】
また，マークセンサ６１の検知状態の判定処理には，黒色のマークを用いることが好ましい。黒色のトナーの反射率は，搬送ベルト７の反射率との差が大きい。従って，黒色のマークを用いることにより，マークセンサ６１の検知状態の判定を容易に行うことができる。
【００７１】
この他，マークセンサ６１の検知状態の判定処理に，黒色以外の色の第１マークと黒色の第２マークとを含むマークを形成することとしてもよい。例えば，図１０に示すように，シアンの第１マーク６８Ｃの一部分に，黒色の第２マーク６８Ｋがのったマーク６８とすることができる。シアンのトナーの反射率は，搬送ベルト７の反射率と黒色トナーの反射率との間の値である。
【００７２】
そこで，図１０に示したように，第１マーク６８Ｃと第２マーク６８Ｋとを搬送ベルト７に形成させ，形成させたマークを副走査方向へ移動させつつ，マークセンサ６１で検出すると，受光量は，図１１中に実線Ｄで示すような波形となる。つまり，取得される光量データは，第１マーク６８Ｃに相当する部分と第２マーク６８Ｋに相当する部分とで受光量が異なった波形となる。そこで，ＣＰＵ３１は，このような２色の部分を含むマークを形成させるとともに，閾値光量Ｑを，良好な状態における第１マーク６８Ｃの最小値よりやや大きい値とする。こうすると，良好な状態でオンとなる範囲は，第１マーク６８Ｃの全体によって得られる連続した１つの範囲である。
【００７３】
一方，搬送ベルト７の劣化によりマークセンサ６１の検知状態が不良となった場合には，光量調整後の受光量の下端部が引き上げられ，受光量は，図１１中に破線Ｈで示すようなものとなる。こうなると，第１マーク６８Ｃのみが検出される箇所の光量は，閾値光量Ｑより大きくなる。つまり，閾値光量Ｑより小さい光量であることを条件とすることによりオンとなる範囲は，第２マーク６８Ｋに対応する箇所のみとなる。図１１の例では，当該オンとなる範囲は，第２マーク６８Ｋの個数だけ現れる複数個の小さい期間である。
【００７４】
従って，図１０に示したように，黒色以外の色の第１マーク６８Ｃと黒色の第２マーク６８Ｋとを含むマーク６８を形成させることにより，差分の値だけでなく，受光量のアナログデータの波形形状自体にも差が現れる。つまり，当該差分の値よりも波形形状自体の差を判断することにより，センサ汚れとベルト劣化との判別はさらに容易なものとなる。
【００７５】
あるいは，ベルトにあらかじめマークが形成されている場合もある。例えば，中間転写方式の画像形成装置における中間転写ベルトでは，ベルトの搬送速度，位置等を精度よく管理するための基準点マークが用意されている。基準点マークは，ベルトの端部（印刷可能範囲外）の位置に形成され，この基準点マークを検出するためのセンサ（ベルトマークセンサ）がさらに用意される。そこで，基準点マークとベルトマークセンサとを用いて，センサの検知状態判定処理を行うこととしてもよい。
【００７６】
基準点マークは，ベルトに初めから用意された（印刷，塗布，貼り付け等）反射基準であり，印刷範囲外の位置に複数個あるので，トナー漏れ，クリーニング不良などによる反射基準自体の汚れや劣化は生じにくい。従って，ベルトマークセンサの検出特性の変化を見ることで，センサの汚れか否かをさらに簡単に判断できる。
【００７７】
ところで，図３に示したように，本形態のＭＦＰ１００は，ファン８１を有している。このファン８１による気流（図３中の白矢印）は，搬送ベルト７の幅方向成分を有している。そして，マークセンサ６１は，搬送ベルト７の幅方向の両側に設けられている（センサ６１Ｒとセンサ６１Ｌ）。さらに，この気流は，マークセンサ６１の近くを流れており，この気流に乗って，紙粉やトナー粉等が流されることもある。そのため，センサ６１Ｒ，６１Ｌのうち，この気流について下流側に配置されるセンサの方が汚れやすい。図３の例では，センサ６１Ｒの方がセンサ６１Ｌより汚れやすい。
【００７８】
そこで，本形態のＭＦＰ１００は，気流について下流側に配置されるセンサによって取得された受光量データを用いて，検知状態の判定を行うことが望ましい。より汚れやすい側のセンサによって検出すれば，センサ汚れをより早期に確実に判定することができる。なお，このファン８１が，気流発生部に相当する。また，センサのレンズを清掃する部材の構成は，一つの作業によって左右のセンサが同時に清掃される構成としておくことが望ましい。
【００７９】
なお，本形態のＭＦＰ１００において，マークの濃度測定を行う濃度センサは，マークの検出信号のアナログレベルを細かく測定する。そのため，濃度センサに付着するトナーの分布によっては，測定誤差が大きくなるおそれがある。測定誤差の発生を避けるために，濃度検出も行うセンサは，気流について上流側に配置することが好ましい。なお，特にマークの通過タイミングを測定する方法により位置ずれの検出をする場合には，センサ窓部の多少の汚れは測定誤差とはなりにくい。
【００８０】
以上詳細に説明したように本形態のＭＦＰ１００によれば，マークセンサ６１による検知状態が良好ではないと判断した場合に，光量調整後の受光量とあらかじめ記憶しておいた参照データとを比較する。参照データは，搬送体の劣化が生じていないと推定されるときに取得したデータである。搬送体に劣化が生じると反射率が低下するため，光量調整後の受光量が参照データにおける受光量より小さくなる。一方，センサのレンズの汚れの場合には反射率に変動はないことから，光量調整後の受光量と参照データとは差が小さい。このことから，光量調整後にセンサの汚れが疑われる際，参照データと，現在の受光部から得られる受光量との差が小さければセンサの汚れと判定でき，大きければ搬送体の劣化と判定できる。従って，ベルト表面の劣化とセンサのレンズ表面の汚れとを区別することができる。
【００８１】
なお，本形態は単なる例示にすぎず，本発明を何ら限定するものではない。したがって本発明は当然に，その要旨を逸脱しない範囲内で種々の改良，変形が可能である。例えば，実施の形態では画像形成装置をＭＦＰとしているが，画像形成機能を有するものであればよく，例えば，プリンタ，ファクシミリ装置，コピー機であってもよい。また，実施の形態では，マーク期間によって参照データと比較するとしたが，アナログデータの波形そのものを比較したり，波形のピーク値を比較したりすることによっても判定できる。また，搬送体は，マークを載置できればよく，搬送ベルト７の他，中間転写ベルト（ドラム）について実施することもできる。
【００８２】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８３】
７  搬送ベルト
３１  ＣＰＵ
３４  ＮＶＲＡＭ
６１  マークセンサ
６２  発光部
６３  受光部
６６  マーク
８１  ファン
１００  ＭＦＰ
【図１】
0005888093.tif 000002
【図２】
0005888093.tif 000003
【図３】
0005888093.tif 000004
【図４】
0005888093.tif 000005
【図５】
0005888093.tif 000006
【図６】
0005888093.tif 000007
【図７】
0005888093.tif 000008
【図８】
0005888093.tif 000009
【図９】
0005888093.tif 000010
【図１０】
0005888093.tif 000011
【図１１】
0005888093.tif 000012